(57)【特許請求の範囲】
【請求項１】
遊戯者により所定の手段で放たれる矢を衝突位置に固定し捕捉する機能を有した的当て遊具において、前記矢は、矢先である矢尻部の先端側が球状面とされており、前記矢尻部の最大直径が、矢尻部と矢柄部との境界部の直径より大きく、前記矢を捕捉する前記的は、遊戯者側を前方として、前方側に矢尻通過面を有し、後方側に緩衝部を有する物で、前記矢尻通過面は複数本の線状体を互いに平行に配列して張り渡し、前記線状体は、水平方向に張り渡されているものを、少なくとも一面以上有し、前記矢尻通過面と前記緩衝部との間に、前記矢尻部の最大直径未満の間隔に複数本の線状体を互いに平行に張り渡した矢尻脱抜防止面を備え、前記矢尻通過面及び前記矢尻脱抜防止面は、前記矢尻部の通過を許し、前記緩衝部は、前記矢尻部を貫通させる事無く前記矢の衝突エネルギーを吸収し、前記矢尻脱抜防止面と前記緩衝部の間で、前記矢尻部を止め、前記矢の抜け落ちることを防止する係止手段として作用し、前記矢尻通過面が、前記矢尻部の通過した際の矢の向き及び位置を固定するように矢柄部を支持して、前記矢が前記的に刺さった状態の外観を維持する事を特徴とする的当て遊具。
【請求項２】
前記的は、前記矢尻通過面及び/又は矢尻脱抜防止面が、平行に張り渡した複数本の線状体に加え、前記線状体に対し、交差する方向の複数本の線状体を更に張り渡して成る事を特徴とする請求項１に記載の的当て遊具。
【請求項３】
前記矢は、先端側が球状面とされた矢尻部により、矢の先端である矢先が被覆された構成である事を特徴とする請求項１または２に記載の的当て遊具。
【請求項４】
前記矢は、先端側が球状面とされ基端側に連結手段を備えた矢尻部と、矢柄部とを連結する構成である事を特徴とする請求項１、２または３に記載の的当て遊具。
【発明の詳細な説明】
【技術分野】
【０００１】
本発明は、的当て遊具に係り、特に所定の的に向けて競技者が道具を用いてまたは本人の投擲により、放たれた物体と、当該物体を捕捉する装置に関するものである。            
【背景技術】
【０００２】
前記物体とは、弓、ダーツ、吹矢等の競技や練習及び玩具として使用される矢のことである。
【０００３】
前記弓やダーツ等の矢は、矢尻（やじり）部、矢柄（やがら）部、矢羽（やばね）部の三部部位で構成された形状であり、吹矢の矢は円錐状の筒の部位を矢柄部として先端の尖った部位を矢尻部とした形状である。
【０００４】
スポーツ競技やその練習に用いられる矢は、矢尻部の先端が尖っていることで、的に突き刺さり止る事で命中位置の確認をするものである。
【０００５】
しかし、前記矢尻部の先の尖った形状では万が一人体に当たった場合、刺さる事が考えられ大変危険であるために、市販されている弓形式の玩具に用いる矢は、危険度を考慮して、特許文献１記載の実開昭５３−００６０９９の様に矢尻の部位を吸盤にして命中位置に吸着させる物が提案されている。    
【０００６】
また、吹矢やダーツの矢も先端が鋭く尖っており危険である事から、例えば特許文献２記載の実開昭５６−１６６０６９の様に、矢の先端と的の面が面状ファスナーの構造に成っている事で張り付く物や、特許文献３記載の実用新案登録第３１２７８０９号の様な矢の先端に磁石を固定し、金属の的に磁力で貼り付ける玩具が提案されている。
【先行技術文献】
【特許文献】
【０００７】
【特許文献１】実開昭５３−００６０９９
【特許文献２】実開昭５６−１６６０６９
【特許文献３】実用新案登録第３１２７８０９号公報
【発明の概要】
【発明が解決しようとする課題】
【０００８】
上記特許文献１に開示されている矢の構造の玩具は、先端である矢尻の部位が吸盤となっている事で、矢の軸である矢柄に比べて先端が大きくバランスの悪い形状となり、矢は思う様に飛んではくれない。また矢の威力や到達部位への進入角度によっては、吸盤が確実に吸着するとは限らない。
【０００９】
また吸着しても、矢全体を吸着部位のみで支えるため、吸着部位より矢柄は下方に垂れ迫力の無い様となる。
【００１０】
上記特許文献２に開示されている面状ファスナーの構造によるダーツにあっては、矢の威力によって張り付かない場合が生じる。特許文献３に開示されている矢の先端が磁石で出来た物においては、金属が内蔵された的に当たってもそこまで矢が飛んできた勢いで跳ね返されることがある。また矢の先端が平面であり、矢が的に垂直に当たれば磁力で吸い付くが、的への進入が斜めだった場合は想定通りに吸い付かないため的から脱落してしまう事がある。
【００１１】
一方、スポーツ競技等で用いられる弓の矢の威力は大きく、先端が尖った形状の矢では、万が一の事故の場合、大怪我となる可能性がある事から、手軽に矢を放つ練習をする事は困難である。
【００１２】
またボーガン（クロスボー）と呼ばれる銃型の弓から発射される矢の威力も大きく安易に使用できる道具とはいえない。
【課題を解決するための手段】
【００１３】
そこで、上記課題を解決するための本発明は、（１）遊戯者により所定の手段で放たれる矢を衝突位置に固定し捕捉する機能を有した的当て遊具において、前記矢は、矢先である矢尻部の先端側が球状面とされており、前記矢尻部の最大直径が、矢尻部と矢柄部との境界部の直径より大きく、前記矢を捕捉する前記的は、遊戯者側を前方として、前方側に矢尻通過面を有し、後方側に緩衝部を有する物で、前記矢尻通過面は複数本の線状体を互いに平行に配列して張り渡し、前記線状体は、水平方向に張り渡されているものを、少なくとも一面以上有し、前記矢尻通過面と前記緩衝部との間に、前記矢尻部の最大直径未満の間隔に複数本の線状体を互いに平行に張り渡した矢尻脱抜防止面を備え、前記矢尻通過面及び前記矢尻脱抜防止面は、前記矢尻部の通過を許し、前記緩衝部は、前記矢尻部を貫通させる事無く前記矢の衝突エネルギーを吸収し、前記矢尻脱抜防止面と前記緩衝部の間で、前記矢尻部を止め、前記矢の抜け落ちることを防止する係止手段として作用し、前記矢尻通過面が、前記矢尻部の通過した際の矢の向き及び位置を固定するように矢柄部を支持して、前記矢が前記的に刺さった状態の外観を維持する事を特徴とする的当て遊具により解決するものである。
【００１６】
（２）さらに前記的は、前記矢尻通過面及び/又は矢尻脱抜防止面が、平行に張り渡した複数本の線状体に加え、前記線状体に対し、交差する方向の複数本の線状体を更に張り渡して成る事を特徴とする（１）に記載の的当て遊具により解決するものである。
【００１８】
（３）加えて、前記矢は、先端側が球状面とされた矢尻部により、矢の先端である矢先が被覆された構成である事を特徴とする請求項（１）または（２）に記載の的当て遊具により解決するものである。
【００１９】
（４）また、加えて、前記矢は、先端側が球状面とされ基端側に連結手段を備えた矢尻部と、矢柄部とを連結する構成である事を特徴とする請求項（１）乃至（３）に記載の的当て遊具により解決するものである。
【発明の効果】
【００２０】
本発明の的当て遊具及び、その矢及び、その的は、遊戯者側を的の前方として、前方側に線状体を複数本張った矢尻通過面を配置して、前記矢尻通過面を、先端側を球状面にした矢尻部が線状体の間を通過する事で、後方側に設置された緩衝部に衝突し、矢の持つエネルギーは吸収され、矢は威力を失う。前記緩衝部と、矢尻逆通過面は矢尻部を衝突位置に固定して止める係止手段として作用する事で矢尻部は固定され、矢尻部の通過した矢尻通過面は矢柄部を支持する事で、矢尻部と矢柄部が的内において支持される事で、矢の進入角度が保持され刺さった状態の外観が維持できる物である。
【００２１】
そこで玩具においては、本発明の矢と的によって、従来から在る矢よりも、形状やバランスの良い矢と、前記矢が的に当たった際に、的から矢が脱落する事が無く、矢が的に進入した角度を保持したままの状態で止まる事で、的に矢が刺さった模様をよりリアルに表現できる事で、従来の玩具に比べ迫力のある玩具を提供できる。
【００２２】
一方、ダーツや弓、ボーガンなどで放たれた矢においては、先端を球状にしたキャップ状の矢尻部を装着するか、先端を球状にした矢尻部に交換する事で危険性の少ない矢と、当該矢を確実に捕捉し且つ矢が的の内部に突き刺さる事が無く、刺さった状態を表現できる的を提供するものである。
【図面の簡単な説明】
【００２３】
【図１】矢の形状を示した図である。
【図２】的の構成を説明する図である。
【図３】矢が的に捕捉される過程を説明する図である。
【図４】本発明による矢の特徴を説明する図である。
【図５】的の構成を説明する図である。
【図６】矢の捕捉を説明する図である。
【図７】矢の係止手段を説明する図である。
【図８】的を構成する線状体を張る方向及び矢の取出し方を説明する図である。
【図９】吹矢の矢の捕捉を説明する図である。
【図１０】ダーツの矢の捕捉を説明する図である。
【図１１】ターゲットバードゴルフの球の捕捉を説明する図である。
【図１２】他の矢の先端に連結する矢尻部を説明する図である。
【発明を実施するための最良の形態】
【００２４】
まず、本発明では矢１００の形状、並びに的２００の構成が重要である。そこで、矢１００の形状を図１により説明する。
【００２５】
図１Aに示したものは、弓矢やボーガン等に用いられる矢１００の形状を表している。矢１００の構成は、矢尻部１１と矢柄部１２及び矢羽部１３の３部位から成っている。競技の矢１００は的に突き刺さる事を前提としているため、矢尻部１１の先端側ｖは尖った形状に成っている。
【００２６】
上記矢１００の様に先端側ｖが尖ったものでは危険である事から、玩具における矢１００は、図１Ｂに表すように、矢尻部１１の先端側ｖが吸盤と成っている形状のものが提案されている。
【００２７】
上記図１Ａに表した矢尻部１１の先端側ｖが尖った矢１００の形状の多くは、スポーツ競技等で使用される物で、的に突き刺さる事でエネルギーを消失して止まる物である。
【００２８】
上記のような先端側ｖが尖った矢は危険である事から、玩具で使用される矢は前述した図１Ｂに示す様な形状にする事で、安全性に配慮した物に成っているが、矢尻部１１が頭でっかちの形状ではバランスが悪く、狙った場所に命中させる事が難しく、矢の持つ本来の性能には程遠いものとなってしまう。
【００２９】
そこで本発明における矢１００は図１Ｃに表すように、矢尻部１１の先端側ｖを球状面にする事で、競技用の矢においては危険度を軽減する事ができ、玩具においては、本来の矢の形状に近づける事で、バランスの良い矢１００ができる。
【００３０】
本発明による前記矢１００は、矢先である矢尻部１１の先端側ｖが球状面と成っている事を第一の特徴とする。
【００３１】
前記矢を本発明である的２００により捕捉する模様を以下実施例により説明する。捕捉の対象となる矢１００の形状には、図１Ｃに示した弓の矢のように矢柄部１２が長い形状をした矢の他に、吹矢の矢やダーツの矢などがあるが、まず、矢柄部１２が長い形状をした矢の捕捉について、以下実施例により請求項の順番に説明するものとする。
【００３２】
実施例１は請求項１に記載した的当て遊具を説明するものである。
【実施例１】
【００３３】
図２は、矢１００を捕捉する本発明における的２００の構成を示したものである。
【００３４】
図２Ａに表したものは、矢先である矢尻部１１の先端側ｖが球状面をした矢１００と的２００を表した斜視図である。的２００は遊戯者側を的２００の前方として、前方側に矢尻通過面２０１を備え、その後方側に緩衝部２０３を備えて、矢尻通過面２０１と緩衝部２０３を所定間隔ｍだけ離して配置した箱状のものである。
【００３５】
図２Bは矢尻通過面２０１を説明するものである。矢尻通過面２０１は枠２０に平行に複数本の線状体２１を張り渡したもので、線状体２１は隣接する１本ずつの間隔を矢柄部１２の直径程度の間隔幅ｐに配列した構成のものである。矢尻通過面２０１は、矢尻部１１が通過した後に矢柄部１２を支持するため、線状体２１の向きを水平方向になる様に設置する。線状体２１の素材は、例として、釣りに使用するテグス１０号、標準直径（社団法人日本釣用品工業会標準規格）０.５２０ミリメートル程度の物を使用する。
【００３６】
枠２０は、プラスチック等の合成樹脂やアルミ、ステンレス、スチール等の金属、また、木材などが使用でき、線状体２１を張るための加工ができるもので、線状体２１を張る事で歪む事がなく、矢が接触した際に破損しない強度と耐久性のあるものを選定する事が好ましい。例えば、幅１センチ、厚さ３ミリメートル程度のアルミの枠２０として、間隔幅ｐと同じ間隔に穴を開けたり、溝を付けたりする加工を施す。この穴や溝に線状体２１を通す事で、線状体２１に矢が衝撃しても、線状体２１の配列にズレを生じないように構成したものである。
【００３７】
図２Ｃは緩衝部２０３を表している。緩衝部２０３は、矢１００を受ける表側が衝突面２２で、その裏側に緩衝材２３を備えて、矢１００のエネルギーを吸収するものである。
【００３８】
図２Ｄは、緩衝部２０３の構成の一例を表したものである。上記衝突面２２は、化学繊維でできたブラシ状の毛足が３〜４センチ程度ある面であり、緩衝材２３は化学繊維でできた綿花を使用した緩衝部２０３である。
【００３９】
上記の構成の的２００により矢１００が捕捉される模様を図３により説明する。
【００４０】
図３に示したものは、放たれた矢１００が飛行して、矢先である矢尻部１１が矢尻通過面２０１を通過する模様を表している。
【００４１】
図３Ａに表すように、エネルギーを持ち、矢尻通過面２０１に衝突した矢尻部１１は、先端側ｖが球状面となっている事で、図３Ｂに表すように平行に配列された線状体２１の間隔幅ｐを押し広げて、図３Ｃに表すように矢尻通過面２０１を通過する。
【００４２】
その後、矢尻部１１は図３Ｄに表すように、緩衝部２０３に衝突して威力を失い、衝突面２２のブラシ状に立った毛足の間に挟まり矢尻部が止まる係止手段として作用する。この時、矢尻部１１が通過した矢尻通過面２０１は、図３Ｅに表すように、矢柄部１２を線状体２１が支える事で、矢柄部１２が下方に垂れる事が無く支持される。図３Ｆに表すように、矢尻部１１が緩衝部２０３により、矢柄部１２は矢尻通過面２０１により支持され、矢１００の進入角度も保持され、的２００に刺さった状態の外観を維持する事ができるものである。
【００４３】
なお、上記緩衝部２０３は、衝突面２２に金属綿を使用し矢尻部１１に磁石を使用する事や、矢尻部１１を金属にして、衝突面２２の内部に磁石を使用する事で矢尻部１１を衝突面２２の到達部位に止める係止手段等もある。
【００４４】
また、緩衝部２０３と矢尻通過面２０１を設置する所定間隔ｍは、矢１００の長さや重量により異なるが、矢１００の長さの重心ｇとなる位置よりも多少長い距離にすると、矢１００を支え易い。
【００４５】
前記矢尻通過面２０１を構成する線状体２１は、矢柄部１２が下方に垂れる事を防ぐために、少なくとも水平方向に張り渡されている事で矢１００を支持する事で請求項２記載の的当て遊具となる。
【００４６】
しかしながら、矢の威力の大きさによっては、緩衝部２０３から矢尻部１１が撥ね返される事が考えられるため、緩衝部２０３から撥ね返された矢尻部１１の係止手段を実施例２で説明する。以下実施例２は請求項３に記載の的当て遊具についての説明である。
【実施例２】
【００４７】
図４に表した物は、本発明における矢１００の特徴となる構成を表したものである。
【００４８】
図４Ａに表したものは、前記矢１００を構成する矢尻部１１と、矢柄部１２を表したものである。矢１００の第一の特徴となる先端側ｖである球状面を成す矢尻部１１の形状の中で、直径の最も大きい場所を最大直径ｓとする。矢尻部１１の基端側ｒに矢柄部１２が接続している部位を境界部ｆとして、矢尻部１１の最大直径ｓよりも小さな径となっている事が特徴である。
【００４９】
前記境界部ｆの直径が、前記矢尻部１１の最大直径ｓ未満となる形状が矢１００の第二の特徴となる。
【００５０】
図４Ｂに示したものは、矢１００の特徴となる形状の例を幾つか表したものである。全て矢尻部１１の先端側ｖが丸みの有る球状面であり、矢尻部１１と矢柄部１２の境界部ｆは、図中ａに示すような矢尻部１１の基端側ｒが、矢柄部１２に向かい徐々に小さくなる形状や、図中ｂに示すような、段差を形成するもの、図中ｃに示すような、矢柄部１２が境界部ｆから矢の後方に向かい徐々に広がるもの等があり、全て矢尻部１１の最大直径ｓよりも境界部ｆの径が小さくなっている事が特徴である。
【００５１】
矢１００を構成する矢尻部１１の素材は、的２００を構成する緩衝部２０３に衝突する事で破損しないもので、硬化プラスッチクや硬質ゴム、木材等の天然、化学素材が使用できるが、安全性を十分に考慮して素材を選定する事が好ましい。
【００５２】
矢１００を構成する矢柄部１２の素材は、例として、竹、木、の天然素材や、カーボン、プラスチック等の化学素材を使用して、矢羽部１３は、天然素材の鳥羽や布等又は、化学素材とする。
【００５３】
前記矢尻部１１、矢柄部１２、矢羽部１３の素材は、矢１００を構成する各部位の素材との合性や矢１００全体の重量バランス等を考慮して選定する事が好ましい。
【００５４】
次に、前記第二の特徴を持つ矢１００を確実に捕捉するために、矢尻脱抜防止面２０２を備えた的２００の構成について図５で説明する。
【００５５】
図５Ａに表したものは、本発明における的２００を表した斜視図である。的２００は、前方側から層状に矢尻通過面２０１を少なくても一面以上を備え、後方側に緩衝部２０３を備え、矢尻通過面２０１と、緩衝部２０３の間に矢尻脱抜防止面２０２を備えた構成である。
【００５６】
矢尻通過面２０１の構成は、実施例１の図２Ｂで説明したものと同じである。加えて説明すると、線状体２１を配列する間隔幅ｐは矢尻部１１の最大直径ｓの直径より狭い間隔に設置する必要は無いが、矢柄１０２が垂れ下がらない様に支える事と、矢１００の進入経路をより正確に保持するためには、前記間隔幅ｐを矢柄の直径より狭くして、矢柄部１２に線状体２１が接触する様に配置する事が好ましい。
【００５７】
矢尻脱抜防止面２０２を図５Ｂにより説明する。矢尻脱抜防止面２０２を構成する線状体２１の配列は、隣接する１本ずつの間隔幅ｐが、使用される矢１００を構成する矢尻部１１の最大直径ｓより狭い間隔幅ｐになる様に設置されたものである。
【００５８】
矢尻通過面２０１及び矢尻脱抜防止面２０２を構成する枠２０の素材は、線状体２１を張る事で変形しない強度と、矢１００が衝突した際に破損しない強度のあるものが好ましく、例えば、アルミや真鍮、銅、スチール等の金属及び、硬化プラスチックやセラミック等の樹脂で出来たもの、また木枠などが使用できる。
【００５９】
矢尻通過面２０１及び矢尻脱抜防止面２０２を構成する線状体２１の素材は、矢１００の通過による摩擦で破損する事無く耐久性のあるものを選定することが好ましく、天然及び、化学繊維で出来た糸や撚糸が使用できる。また、例えば、玩具の威力の弱い矢１００を捕捉する的２００に使用する線状体２１にテグス１０号（標準直径０.５２０ミリメートル）以下の糸を使用するならば、弓道やボーガン等の威力の強い矢を受ける的２００には、１０号以上の太い線状体２１を使用する事や線状体２１の素材を吟味することで、各種矢の威力の違いに対応できる。
【００６０】
的２００を構成する緩衝部２０３を図５Ｃにより説明する。緩衝部２０３は、矢１００を受ける表層側が衝突面２２であり、その裏側が緩衝材２３により構成されたものである。
【００６１】
衝突面２２は、矢尻部１１が繰り返し衝突することで、その衝撃により破れ貫通する事の無い強度と、反発を抑える柔らかさを備えた素材が好ましい。
【００６２】
弓道やボーガン等の威力のある矢を受ける衝突面２２の素材は、例えば、金属の練り込まれている強度の有る繊維や、天然、化学繊維でできシート状の物や革などを使用して、矢の衝突により貫通しない強度と繰り返しの衝突により磨耗する事の少ない素材を選定する事が好ましい。
【００６３】
また一方、玩具に使用される矢１００の威力は、前記スポーツ競技等の矢１００に比べて、衝突面２２に衝突する力は遥かに小さい事で、様々な天然、化学繊維からできたシート状の物が使用でき、例として、デニム素材を使用する。
【００６４】
上述した衝突面２２の素材は、放たれた矢１００の威力及び、矢を構成する矢尻部１１の素材等の違いにより、耐久性を考慮して選定する事が好ましい。
【００６５】
緩衝部２０３を構成する緩衝材２３の素材は、矢の衝撃を十分に和らげエネルギーを吸収し、放出させる物を選定する事が好ましく、例えば、威力の強い矢においては、天然、化学繊維でできた、綿花やスポンジ状の物を厚さ３０センチメートル程度になる量を設置する。
【００６６】
一方、模倣玩具における矢の威力は小さい事から、上記素材を例えば厚さ１〜２センチメートル程度になる量を設置する。
【００６７】
上記緩衝材２３の素材及び、使用する量は、放たれた矢１００の威力及び、矢を構成する矢尻部１１の素材などとの係わり合いを考慮して選定する事が好ましい。
【００６８】
図６により、図５Ａに示した、矢尻脱抜防止面２０２を備えた構成の的２００で矢１００が捕捉される模様を説明する。
【００６９】
図６Ａに表すように、放たれた矢１００は、的２００の前方側に設置された矢尻通過面２０１を成す線状体２１に衝突すると、矢の持つ威力（エネルギー）により線状体２１は矢尻部１１の球状面をした先端側ｖにより押し広げられて、間隔幅ｐは広がり、この部位を通過する。その模様は、実施例１の図３Ａ，Ｂ，Ｃで詳述したものである。
【００７０】
矢尻部１１により押し広げられた線状体２１の間隔幅ｐは狭まり、狭まった線状体２１の間を矢柄部１２が通過する。
【００７１】
その後、図６Ｂに表すように、矢尻部１１は、矢尻脱抜防止面２０２に衝突する。
【００７２】
矢尻脱抜防止面２０２を矢尻部１１が通過する過程は、矢尻通過面２０１の通過と同様である。
【００７３】
矢尻脱抜防止面２０２を通過した後に矢尻部１１は、図６Ｃに表すように、後方側に設置された緩衝部２０３に衝突することで、緩衝部２０３によりエネルギーは吸収され、この時に矢１００の威力が無くなれば止まるが、無くならない場合は緩衝部２０３から撥ね返り、矢尻脱抜防止面２０２の方向に矢尻部１１が戻る事が想定される。
【００７４】
そこで、図７Ａに表すように、緩衝部２０３から撥ね返り戻ってくる矢１００の矢尻部１１を、図７Ｂに表すように、矢尻部１１と矢柄部１２の境界部ｆの径が小さい部位を、狭まった線状体２１の間隔幅ｐの間で挟み、図７Ｃに表すように、矢尻部１１は基端側ｒが線状体２１に引っ掛かる事で、矢尻脱抜防止面２０２を逆に通過すること無く止まる。
【００７５】
この時、矢尻脱抜防止面２０２は矢尻部１１を止める係止手段として作用する事で、図７Ｄに表すように、矢尻部１１は緩衝部２０３と矢尻脱抜防止面２０２の間で止まり、矢１００は抜け落ちる事が無いため、矢尻部１１が衝突面２２から離れても、矢柄部１２が矢尻通過面２０１と矢尻脱抜防止面２０２により支持される事で、到達位置に刺さった状態を保持できるものである。
【００７６】
矢１００は的２００の矢尻通過面２０１及び矢尻脱抜防止面２０２により、矢尻部１１の落下並びに矢柄部１２が垂れ下がる事を防ぐため、線状体２１は水平方向に張る事が好まし。しかし、図７Ｅに表すように、矢尻通過面２０１を何層か設置する場合は、すべてが水平方向に張られたもので無くてもよいが、矢１００を支持でき矢柄部１２が垂れ下がらない様に設置することが好ましい。
【実施例３】
【００７７】
実施例３は請求項３に記載した的２００よりも、更に矢の捕捉を確実にする構成について説明するものである。
【００７８】
図８は、請求項４に記載した的２００の構成を表すものである。図８Ａに示したものは、矢尻通過面２０１と矢尻脱抜防止面２０２を構成する線状体２１の構成を表したものである。複数本の線状体２１を第１のｘ方向に平行に張り渡して、更に交差する第２のｙ方向に線状体２１を張った構成とする事で、矢１００が接触した際の抵抗を大きくする事や、矢柄部１２を線状体２１により四方から挟み込み、固定する事で、挟まれた矢１００は左右に振れる事無く止まる構成である。
【００７９】
上記線状体２１の配列の例を図８Ｂに示すと、１、２、３などの様に、線状体２１が網目状にクロスして見える構成にする事で、線状体２１の配色と、張り方により、デザイン的にバリエーションをつける事ができる。
【００８０】
矢１００が的２００に刺さった状態を図８Ｃに示す。図８Ｃは矢１００と的２００を側方から見た断面を表している。矢１００が矢尻通過面２０１と矢尻脱抜防止面２０２を通過する位置の違いにより、進入経路や飛行角度が分り、矢柄部１２が、矢尻通過面２０１と矢尻脱抜防止面２０２との２点により支持される事で、刺さった状態を保持できるものである。
【００８１】
なお、矢１００の重心ｇとなる位置が、矢尻通過面２０１と緩衝部２０３との間に止まるように距離を置く事で、矢１００は安定して止まり易い事で、矢の長さや重量などを考慮して所定間隔ｍを定める事が好ましい。また、矢尻通過面２０１と矢尻脱抜防止面２０２の間に重心ｇが止まる事で、線状体２１により矢１００を支え易いため、矢尻通過面２０１と矢尻脱抜防止面２０２の設置間隔ｕを決める事が好ましい。
【００８２】
的２００により捕捉された矢１００は、線状体２１の間に挟まっているだけなので、簡単に引き抜き再度使用できる。しかし、矢尻部１１の形状が例えば、図４Ａのｂに表した様な、境界部ｆに段差がある形状の場合、線状体２１に矢尻部１１の付け根が確りと引っ掛かり、抜け難い事が予測される。この場合、図８Ｄに表すように、緩衝部２０３と矢尻通過面２０１を開閉できる構成にして、開いた状態で矢１００を通過してきたｗ方向に引き出す事で矢は取り出す事が出来る。
【００８３】
以上、実施例１乃至３により、弓矢やボーガン等で使用されるような、矢柄部１２が長い形状をした矢を対象とした的当て遊具の説明をしたが、以下実施例４では、その他の矢柄部１２が短い形状をした矢を対象とする的当て遊具を説明する。
【実施例４】
【００８４】
実施例４では請求項５記載の矢１００の中で、吹矢及びダーツで使用する矢のように矢柄部１２が短い形状をした矢の捕捉について説明する。
【００８５】
図９は吹矢の的当て遊具を説明するものである。
【００８６】
図９Ａは、吹矢の矢１００の構成を表したものである。矢１００は、円錐状の形をしていて、先端側ｖの尖っている部分が矢尻部１１で、基端側ｒに接続する円錐形状の部分が、矢柄部１２（シャフト）である。矢尻部１１が、発泡スチロールの的に突き刺さる矢や、矢尻部１１に釘などを使用してベニヤ板などに刺さる矢が使用されている。
【００８７】
そこで、図９Ｂに表すように、矢尻部１１の先端側ｖを球状面にして、最大直径ｓを６ミリメートル程度とし、全長４センチ程度、重さ約０．５グラム程度の矢１００とする。
【００８８】
例えば、矢１００の矢尻部１１の素材は合成樹脂で、矢柄部１２は、紙、セルロース、ナイロン素材などの柔らかくて軽いものを使用する。
【００８９】
吹矢の矢１００は、実施例１乃至４で詳述した的２００の構成を基本として用いる事で捕捉可能となる。
【００９０】
矢１００を捕捉する構成を説明すると、図９Ｃに示したものは、矢尻通過面２０１と矢尻脱抜防止面２０２により、矢１００が捕捉された状態を表したものである。例えば、矢１００の通過を邪魔しないように、線状体２１に使用する糸を細くする事や、線状体２１の間隔幅ｐを広く取る事、また、矢１００は下方へ曲線を描き飛行する事が考えられる事から、矢尻通過面２０１の線状体２１の向きを垂直に張ることで通過し易い構成にする。矢柄部１２は軽いため垂直方向に張った線状体２１でも支持できる。
【００９１】
図９Dは、矢１００が的２００に捕捉された状態を、側方から見た断面を表している。矢１００の矢尻部１１が係止手段により止まった場合、矢柄部１２が円錐状であり後方に向かい径が大きく広がっている事から、矢柄部１２の直径ｑが、線状体２１間の間隔幅ｐと同じになる位置か、その位置より所定間隔ｍを少し広げることで、線状体２１の間隔幅ｐに矢柄部１２が挟まり支持、固定される。
【００９２】
例として、線状体２１にナイロン素材のテグス０．６号（標準直径０．４０５ミリメートル）程度の物を使用して、線状体２１の間隔幅ｐを矢尻部１１の最大直径ｓの６ミリメートルに対して４〜５ミリメートル程度に設置した構成とする。
【００９３】
以下、図１０によりダーツの的当て遊具について説明する。
【００９４】
競技等で使用されるダーツの矢１００の構成を図１０Ａで説明すると、矢１００は、矢先方向より、矢尻部１１（ポイント）、矢柄部の前半部１２ｚ（バレル）、矢柄部の後半部１２ｊ（シャフト）、矢羽部１３（フライト）に分割される。これらのパーツはそれぞれ交換可能であることが多い。
【００９５】
ダーツにはハードダーツｄと、ソフトダーツｅがあり、矢尻部１１（ポイント）の部位は、ハードダーツｄは金属素材で、ソフトダーツｅではプラスチィック素材で出来ている。ソフトダーツｅの矢尻部１１は的に当たった際に折れることも多く消耗品である。また、種類も豊富であり、硬さや粘り強さ、長さなどがメーカーごと、種類ごとによって違う。また、近年ソフトダーツの先端だけを金属製にすることでハードダーツｄに対応できるようにした、コンバージョンポイントという金属製ポイントも出てきている。
【００９６】
重量はハードダーツｄのほうがより重いものが多く、公式ルール上は５０グラムまでのバレル（矢柄部の前半部１２ｚにあたる金属製の部分）が認められているが、実際には２０グラムから２５グラムのものを用いることが多い。ソフトダーツではこれより軽いものを用いることが多く、１６グラムから２０グラムぐらいのものが多く、矢１００全体の重量も２０から６０グラム程度である。
【００９７】
一方、玩具におけるダーツの矢１００は、図１０Ｂに表すような、ポイント（矢尻部１１）が無い形状のもので、矢柄部の前半部１２ｚ（バレル）の先の部位ｌに磁石を装着した物や、面状ファスナーの構成にすることで、的に貼りつく物が提案されている。
【００９８】
そこで、上述した図１０Ａや図１０Ｂに示した矢１００を図１０Ｃに示すような矢尻部１１の先端側ｖを球状面とした形状の矢１００とする。ハードダーツｄやソフトダーツｅ等の矢尻部１１（ポイント）が交換可能なものには、図１０Ｄに示すような、矢尻部１１の先端側ｖが球状面と成り、基端側ｒに連結手段を備えた矢尻部１１を提案する。
【００９９】
上述した矢１００は、実施例１乃至４で詳述した的２００の構成を基本として用いる事で捕捉可能となる。的２００で捕捉となる模様を、図１０Ｅに示すと、図１０Ｅは、ダーツの矢１００と的２００を側方から見た断面を表している。矢尻部１１が固定されて止まった場合、ダーツの矢１００の重心ｇが矢柄部の前半部１２ｚ（バレル）の部位にあるとするならば、図に示すように、矢尻通過面２０１の設置位置を、矢柄部の前半部１２ｚの後方に矢尻通過面２０１が当たる位置にする事で、矢１００を安定して支える事ができる。
【０１００】
例えば矢１００の全長を６センチ程度として、矢尻部１１の先端側ｖから３センチの場所を矢１００の重心ｇとした場合、矢尻通過面２０１と緩衝部２０３との所定間隔ｍは４センチ程度の重心ｇを越える位置に設置する事で、矢１００を安定して支持する事が出来る。
【０１０１】
矢尻通過面２０１を成す線状体２１は、ナイロン素材のテグス１０号（標準直径０.５２０ミリメートル）程度の物を使用して、線状体２１間の間隔幅ｐを矢柄部１２の直径程度か、それよりも少々狭くなる様に張った構成である。
【０１０２】
以上、実施例１乃至４においては、各種の矢１００を捕捉する的２００の構成を述べたが、上述した矢の中で吹矢の矢（実施例４、図９Ａ記載）に類似した形状の羽根付き球が存在する。
【０１０３】
例えば、ターゲットバードゴルフと称される、ミニゴルフの一種で使用される合成樹脂制の羽根付き球である。ゴルフボールにバドミントンの羽をつけた形をしたものである。この羽根付き球は、実施例１乃至４において詳述した構成を基本として用いる事で、捕捉する事が出来る。
【０１０４】
以下、実施例５により、請求項５に記載の羽根付き球を捕捉する構成について、図１１を用いて説明する。
【実施例５】
【０１０５】
図１１Ａに示すものは、ターゲットバードゴルフの羽根付き球である。説明をするにあたって、羽根付き球の各部位の名称を矢１００の名称に置換えて説明する。
【０１０６】
羽根付き球の構成を矢１００に置換えると、ボール状の部位を矢尻部１１とし、羽根の部位を矢柄部１２とする。矢１００（羽根付き球）の大きさは、全長が約１０５ミリメートル、矢尻部１１（ボール部）の最大直径ｓが約４０ミリメートル、矢柄部１２（羽根）の大径部位が約６５ミリメートル、重量約２７グラム程度の物である。矢尻部１１（ボール部）と矢柄部１２（羽根）の境界部ｆの部位の直径は約２０ミリメートル程である。
【０１０７】
前記矢１００（羽根付き球）を捕捉する構成について、実施例３で詳述した請求項４に記載した的２００の構成を用いて説明する。
【０１０８】
図１１Ｂに示した、前記的２００は、前方側に矢尻通過面２０１を備え、後方側に緩衝部２０３を備えて、矢尻通過面２０１と緩衝部２０３の間に、矢尻脱抜防止面２０２を有する構成である。
【０１０９】
例として、矢尻通過面２０１と矢尻脱抜防止面２０２を構成する線状体２１の素材を、ナイロン素材のテグス１０号（標準直径０.５２０ミリメートル）程度の物を使用することとして、  図１１Ｃ  に表すように、枠２０に線状体２１を平行に矢尻部１１（ボール部）の最大直径ｓの約４０ミリメートルより狭い間隔幅ｐを３０ミリメートル程度にして張り渡したものである。線状体２１は第１のｘ方向に張り、更に交差する様に第２のｙ方向に張ったものである。
【０１１０】
図１１Ｄは、的２００の側方断面を表したものである。矢尻通過面２０１と緩衝部２０３を設置する所定間隔ｍを、矢１００（羽根付き球）の全長の約１０５ミリメートルに対して６０〜８０ミリメートル程度とする。矢尻部１１（ボール部）の最大直径ｓの約４０ミリメートル程度である事から、緩衝部２０３と、矢尻脱抜防止面２０２の設置距離ｋを約３０〜４０ミリメートル程度とする事で、矢尻部１１（ボール部）は、緩衝部２０３と矢尻脱抜防止面２０２の間に挟まれる事で係止手段となる。矢尻通過面２０１を成す線状体２１は、円錐状に広がる矢柄部１２（羽根）の部位を挟み支持する事で的２００に到達した状態を保持して止まるものである。
【０１１１】
図１１Ｅに表すように、矢１００（羽根付き球）は、矢柄部１２（羽根）の部位に比べ矢尻部１１（ボール部）の部分が重い事で、ゴルフクラブで叩かれ飛行する間に矢尻部１１が進行方向に向き、落下する事で、的２００に向かい矢尻部１１（ボール部）の先端側ｖの部位から的２００に進入して行く事で、矢１００（羽根付き球）を受ける的２００は、前方側の面が上に向く様に、やや斜めに置く事でより確実に捕捉する事ができる。
【０１１２】
上記の構成により、矢１００（羽根付き球）は、到達位置に固定、保持され的２００に刺さった状態の外観を維持する事が出来る的当て遊具となる。
【０１１３】
また、バトミントン、羽子板の羽なども形状が類意している事から、本発明の的の構成により捕捉は可能である。
【実施例６】
【０１１４】
実施例６は、請求項６及び請求項７に記載の先端側が球状面に構成された矢尻部１１を和弓や洋弓、ボーガンなどに通常使用されている矢（矢先が尖っている事で的に突き刺さる形状の矢尻部を有する矢）に被服又は連結する事で本発明で提案する的２００で捕捉可能となる矢１００の構成について説明する。
【０１１５】
図１２Ａに表したものは、通常使用されている矢１００の矢先ｔに被服する構成の矢尻部１１を説明するものである。
【０１１６】
矢尻部１１は先端側ｖを球状面として、基端側ｒに通常使用される矢１００の矢先ｔに嵌め込む事ができる穴ｈを空け、サック状に構成されたものである。穴ｈは矢尻部１１の中心を通り矢１００に装着した際に、矢１００のバランスを損なわない構成とする。
【０１１７】
前記矢尻部１１を図１２Ｂに表すように、通常使用されている矢１００の矢先ｔに嵌め込む事で、矢先ｔを被服する構成とすることで、本発明の的２００により捕捉可能な矢１００となるものである。
【０１１８】
また、通常使用されている矢１００の中には、矢尻部１１と矢柄部１２の接続部位が、オスネジとメスネジのネジ構造で連結されたものや、凹凸構造に成っている事で、嵌め込まれた矢尻部１１と矢柄部１２が分離でき、矢尻部１１を交換して使用できるものがある。
【０１１９】
その構造は、矢柄部１２の接続部がメスネジになっており、矢尻部１１の基端側ｒがオスネジとなっている（逆も可）ものや、矢柄部１２の接続部が凹状で矢尻部１１の基端側ｒが凸状になっている（逆も可）ことで接続できるものである。
【０１２０】
そこで、図１２Ｃに表すように、通常使用されている矢１００の矢尻部１１を矢柄部１２から取外し、図１２Ｄに表す様に、矢尻部１１の基端側ｒに備えたオスネジで接続する事や、凸状の部位を差し込む（逆も可）構造の連結手段を備える事で、請求項７に記載した矢尻部１１とするものである。
【０１２１】
上記構造の矢尻部１１に交換することで、実施例１乃至３で詳述した構成の的２００により捕捉するものである。なお、被服及び、連結手段を備えた矢尻部１１の使用の目的は、一例として、和弓では引き方に射法八節といわれる形（かた）がある。その形作り等に、従来では簡単に練習する事が出来なかった場所で練習可能な矢と的を提案するものである。
【０１２２】
また、ボーガン等においては先端側を球状面にした矢尻部１１により従来の矢よりも安全性の高い矢と、該矢を捕捉する的を提案するものである。
【０１２３】
矢尻部１１の素材は、硬化ゴムや合成樹脂などを使用することが出来るが、的２００に衝突する際の衝撃により破損しない強度と耐久性を考慮して天然又は化学素材で構成する事が望ましい。
【符号の説明】
【０１２４】
１００…矢
１１…矢尻（やじり）部
１２…矢柄（やがら）部
１３…矢羽（やばね）部
２００…的
２０１…矢尻通過面
２０２…矢尻脱抜防止面
２０  …枠
２１  …線状体
２０３…緩衝部
２２  …衝突面
２３  …緩衝材  
【図１】
0005260618.tif 000002
【図２】
0005260618.tif 000003
【図３】
0005260618.tif 000004
【図４】
0005260618.tif 000005
【図５】
0005260618.tif 000006
【図６】
0005260618.tif 000007
【図７】
0005260618.tif 000008
【図８】
0005260618.tif 000009
【図９】
0005260618.tif 000010
【図１０】
0005260618.tif 000011
【図１１】
0005260618.tif 000012
【図１２】
0005260618.tif 000013